(57)【特許請求の範囲】
【請求項１】
屋根の傾斜方向における下方側の屋根材の一部に上方側の屋根材の一部が上に重なるようにして屋根材が並ぶ屋根の上に配線・配管材を固定するための、配線・配管材固定具であって、
前記屋根材に取り付けられる被取付部と、前記配線・配管材を保持する保持部とを備え、
前記被取付部は、前記下方側の屋根材と前記上方側の屋根材との重なり部分の隙間に外側から挿入される、挿入部と、接着材の充填空間を形成する充填空間形成部とを、備え、
前記挿入部は、挿入部本体と、その挿入部本体を前記隙間から抜け止めするようにその挿入部本体から、前記挿入部の挿入方向とは反対の反挿入方向を向くように斜めに起立して、前記上方側の屋根材または前記下方側の屋根材に掛け止められる、爪部とを有し、かつ、
前記爪部は、前記挿入部本体側に倒れた状態に弾性的に変形可能に形成されて、その爪部が倒れた状態で、前記挿入部は、外側から前記隙間に挿入され、挿入された後には、前記爪部が復帰するようにして前記上方側の屋根材または前記下方側の屋根材に掛け止められ、
前記充填空間は、前記下方側の屋根材の上面に臨むように下方が開放していることを特徴とする、配線・配管材固定具。
【請求項２】
屋根の傾斜方向における下方側の屋根材の一部に上方側の屋根材の一部が上に重なるようにして屋根材が並ぶ屋根の上に配線・配管材を固定するための、配線・配管材固定具であって、
前記屋根材に取り付けられる被取付部と、前記配線・配管材を保持する保持部とを備え、
前記被取付部は、前記下方側の屋根材と前記上方側の屋根材との重なり部分の隙間に外側から挿入される、挿入部と、接着材の充填空間を形成する充填空間形成部とを、備え、
前記挿入部は、挿入部本体と、その挿入部本体を前記隙間から抜け止めするようにその挿入部本体から、前記挿入部の挿入方向とは反対の反挿入方向を向くように斜めに起立して、前記上方側の屋根材の前側に下方に向けて突出するように形成された前垂部に掛け止められる、爪部とを有し、かつ、
前記爪部は、前記挿入部本体側に倒れた状態に弾性的に変形可能に形成されて、その爪部が倒れた状態で、前記挿入部は、外側から前記隙間に挿入され、挿入された後には、前記爪部が復帰するようにして前記上方側の屋根材の前記前垂部に掛け止められ、
前記充填空間は、前記下方側の屋根材の上面に臨むように下方が開放していることを特徴とする、配線・配管材固定具。
【請求項３】
前記充填空間形成部は、上面に、前記充填空間に通ずる孔を有することを特徴とする、請求項１または２に記載の配線・配管材固定具。
【請求項４】
前記充填空間形成部は、前記挿入部の、前記隙間に外側から挿入される挿入長さを制限する、前記上方側の屋根材の前端面に係合可能な、規制部となっていることを特徴とする、請求項１ないし３のいずれか１項に記載の配線・配管材固定具。
【請求項５】
前記充填空間形成部は、上方側の屋根材の前端面から隔たって位置することを特徴とする、請求項１ないし３のいずれか１項に記載の配線・配管材固定具。
【請求項６】
前記被取付部は、前記挿入部の、前記隙間に外側から挿入される挿入長さを制限する、前記上方側の屋根材または前記下方側の屋根材に係合可能な、規制部を、前記充填空間形成部とは別に備えることを特徴とする、請求項５に記載の配線・配管材固定具。
【請求項７】
前記規制部は、前記上方側の屋根材の前端面と対向するように上方に突出形成されることを特徴とする、請求項６に記載の配線・配管材固定具。
【請求項８】
前記爪部は、前記挿入方向に並ぶように、複数設けられることを特徴とする、請求項１ないし７のいずれか１項に記載の配線・配管材固定具。
【請求項９】
前記爪部は、板状であって、先端において幅方向の中央が窪むＭ字状に形成されることを特徴とする、請求項１ないし８のいずれか１項に記載の配線・配管材固定具。
【請求項１０】
前記配線・配管材固定具は、前記被取付部を有するベース体と、前記保持部を有して前記ベース体に着脱可能に取付け固定される保持部材とを備えることを特徴とする、請求項１ないし９のいずれか１項に記載の配線・配管材固定具。
【請求項１１】
前記ベース体は、前記保持部材が取付け固定される取付部を有し、
前記取付部は、膨出形成されて、側面に、前記保持部材の基部が挿入される保持部材挿入孔が設けられ、かつ、上面に、前記挿入孔から前記取付部内に進入した前記基部を止めるための固着具が挿入される、固着具挿入孔が設けられることを特徴とする、請求項１０に記載の配線・配管材固定具。
【発明の詳細な説明】
【技術分野】
【０００１】
この発明は、屋根の上に配線・配管材を固定するための配線・配管材固定具に関するものである。
【背景技術】
【０００２】
従来、屋根にパイプ（配管材）を固定する固定具として、屋根に釘で取付け固定されるパイプ止め金具があった（例えば、特許文献１参照）。このパイプ止め金具は、帯状金属板を曲げて形成されるものであって、円弧状のパイプ押え部と、釘を通す挿通孔が設けられた平坦な被取付部とを備えていた。そこで、屋根にパイプを固定するにあたっては、このパイプ止め金具の二つを向き合わせて、パイプ押え部でパイプを挟んだ状態で、釘を被取付部の挿通孔から屋根の瓦の小孔を通して下地部分に打ち込んだ。
【先行技術文献】
【特許文献】
【０００３】
【特許文献１】実開平５−４５３７０号公報
【発明の概要】
【発明が解決しようとする課題】
【０００４】
ところで、前記従来のパイプ押え金具にあっては、釘を用いるために、瓦に小孔をあけたときとか、釘を打ち込んだときに、瓦が割れないように細心の注意を払わなければならず、その作業が厄介だった。
【０００５】
この発明は、上記した従来の欠点を解決するためになされたものであり、その目的とするところは、屋根に簡単に取り付けることができる、配線・配管材固定具を提供することにある。
【課題を解決するための手段】
【０００６】
この発明に係る配線・配管材固定具は、前記目的を達成するために、次の構成からなる。すなわち、
請求項１に記載の発明に係る配線・配管材固定具は、屋根の傾斜方向における下方側の屋根材の一部に上方側の屋根材の一部が上に重なるようにして屋根材が並ぶ屋根の上に配線・配管材を固定するための、配線・配管材固定具である。この配線・配管材固定具は、前記屋根材に取り付けられる被取付部と、前記配線・配管材を保持する保持部とを備える。ここで、前記被取付部は、前記下方側の屋根材と前記上方側の屋根材との重なり部分の隙間に外側から挿入される、挿入部と、接着材の充填空間を形成する充填空間形成部とを、備える。前記挿入部は、挿入部本体と、その挿入部本体を前記隙間から抜け止めするようにその挿入部本体から、前記挿入部の挿入方向とは反対の反挿入方向を向くように斜めに起立して、前記上方側の屋根材または前記下方側の屋根材に掛け止められる、爪部とを有する。そして、前記爪部は、前記挿入部本体側に倒れた状態に弾性的に変形可能に形成されて、その爪部が倒れた状態で、前記挿入部は、外側から前記隙間に挿入され、挿入された後には、前記爪部が復帰するようにして前記上方側の屋根材または前記下方側の屋根材に掛け止められる。また、前記充填空間は、前記下方側の屋根材の上面に臨むように下方が開放している。
【０００７】
この配線・配管材固定具によると、配線・配管材を屋根に固定するにあたって、配線・配管材固定具の被取付部に備わる挿入部を、下方側の屋根材と上方側の屋根材との重なり部分の隙間に外側から挿入する。すると、倒れた状態の爪部が、復帰するようにして上方側の屋根材または下方側の屋根材に掛け止められる。こうして、被取付部、ひいては配線・配管材固定具は、屋根に取り付けられる。また、充填空間形成部における充填空間に接着材を充填すれば、充填空間形成部は、下方側の屋根材に接着される。したがって、この配線・配管材固定具を、爪部に加えて、接着材を用いて、屋根に取り付けることもできる。そして、保持部で配線・配管材を保持する。このように、配線・配管材固定具を屋根に取り付けるとともに、保持部で配線・配管材を保持することで、配線・配管材は、屋根に固定される。もっとも、配線・配管材固定具を屋根に取り付ける作業と、保持部で配線・配管材を保持する作業の順序は、特に問わない。
【０００８】
また、請求項２に記載の発明に係る配線・配管材固定具は、屋根の傾斜方向における下方側の屋根材の一部に上方側の屋根材の一部が上に重なるようにして屋根材が並ぶ屋根の上に配線・配管材を固定するための、配線・配管材固定具である。この配線・配管材固定具は、前記屋根材に取り付けられる被取付部と、前記配線・配管材を保持する保持部とを備える。ここで、前記被取付部は、前記下方側の屋根材と前記上方側の屋根材との重なり部分の隙間に外側から挿入される、挿入部と、接着材の充填空間を形成する充填空間形成部とを、備える。前記挿入部は、挿入部本体と、その挿入部本体を前記隙間から抜け止めするようにその挿入部本体から、前記挿入部の挿入方向とは反対の反挿入方向を向くように斜めに起立して、前記上方側の屋根材の前側に下方に向けて突出するように形成された前垂部に掛け止められる、爪部とを有する。そして、前記爪部は、前記挿入部本体側に倒れた状態に弾性的に変形可能に形成されて、その爪部が倒れた状態で、前記挿入部は、外側から前記隙間に挿入され、挿入された後には前記爪部が復帰するようにして前記上方側の屋根材の前記前垂部に掛け止められる。また、前記充填空間は、前記下方側の屋根材の上面に臨むように下方が開放している。
【０００９】
この配線・配管材固定具によると、配線・配管材を屋根に固定するにあたって、配線・配管材固定具の被取付部に備わる挿入部を、下方側の屋根材と上方側の屋根材との重なり部分の隙間に外側から挿入する。すると、倒れた状態の爪部が、復帰するようにして上方側の屋根材の前垂部に掛け止められる。こうして、被取付部、ひいては配線・配管材固定具は、屋根に取り付けられる。また、充填空間形成部における充填空間に接着材を充填すれば、充填空間形成部は、下方側の屋根材に接着される。したがって、この配線・配管材固定具を、爪部に加えて、接着材を用いて、屋根に取り付けることもできる。そして、保持部で配線・配管材を保持する。このように、配線・配管材固定具を屋根に取り付けるとともに、保持部で配線・配管材を保持することで、配線・配管材は、屋根に固定される。もっとも、配線・配管材固定具を屋根に取り付ける作業と、保持部で配線・配管材を保持する作業の順序は、特に問わない。
【００１０】
また、請求項３に記載の発明に係る配線・配管材固定具は、請求項１または２に記載の配線・配管材固定具において、前記充填空間形成部は、上面に、前記充填空間に通ずる孔を有する。これにより、この孔から充填空間に接着材を充填することで、この充填を、挿入部を屋根材の重なり部分の隙間に挿入した後にすることもできる。
【００１１】
また、請求項４に記載の発明に係る破線・配管材固定具は、請求項１ないし３のいずれか１項に記載の配線・配管材固定具において、前記充填空間形成部は、前記挿入部の、前記隙間に外側から挿入される挿入長さを制限する、前記上方側の屋根材の前端面に係合可能な、規制部となっている。
【００１２】
また、請求項５に記載の発明に係る配線・配管材固定具は、請求項１ないし３のいずれか１項に記載の配線・配管材固定具において、前記充填空間形成部は、上方側の屋根材の前端面から隔たって位置する。このように、充填空間形成部が上方側の屋根材の前端面から隔たって位置することで、充填空間への接着材の充填作業が容易となる。
【００１３】
また、請求項６に記載の発明に係る配線・配管材固定具は、請求項５に記載の配線・配管材固定具において、前記被取付部は、前記挿入部の、前記隙間に外側から挿入される挿入長さを制限する、前記上方側の屋根材または前記下方側の屋根材に係合可能な、規制部を、前記充填空間形成部とは別に備える。
【００１４】
また、請求項７に記載の発明に係る配線・配管材固定具は、請求項６に記載の配線・配管材固定具において、前記規制部は、前記上方側の屋根材の前端面と対向するように上方に突出形成される。
【００１５】
また、請求項８に記載の発明に係る配線・配管材固定具は、請求項１ないし７のいずれか１項に記載の配線・配管材固定具において、前記爪部は、前記挿入方向に並ぶように、複数設けられる。
【００１６】
また、請求項９に記載の発明に係る配線・配管材固定具は、請求項１ないし８のいずれか１項に記載の配線・配管材固定具において、前記爪部は、板状であって、先端において幅方向の中央が窪むＭ字状に形成される。
【００１７】
また、請求項１０に記載の発明に係る配線・配管材固定具は、請求項１ないし９のいずれか１項に記載の配線・配管材固定具において、前記配線・配管材固定具は、前記被取付部を有するベース体と、前記保持部を有して前記ベース体に着脱可能に取付け固定される保持部材とを備える。
【００１８】
また、請求項１１に記載の発明に係る配線・配管材固定具は、請求項１０に記載の配線・配管材固定具において、前記ベース体は、前記保持部材が取付け固定される取付部を有する。その取付部は、膨出形成されて、側面に、前記保持部材の基部が挿入される保持部材挿入孔が設けられ、かつ、上面に、前記挿入孔から前記取付部内に進入した前記基部を止めるための固着具が挿入される、固着具挿入孔が設けられる。
【発明の効果】
【００１９】
この発明に係る配線・配管材固定具によれば、挿入部を屋根材の隙間に挿入することで、配線・配管材固定具を屋根に簡単に取り付けることができる。しかも、充填空間に接着材を充填することで、この配線・配管材固定具を、屋根に強固に取り付けることもできる。
【図面の簡単な説明】
【００２０】
【図１】この発明の一実施の形態の、模式図である。
【図２】同じく、図１における要部拡大断面図である。
【図３】同じく、ベース体の拡大正面図である。
【図４】同じく、ベース体の拡大平面図である。
【図５】同じく、図４におけるＡ−Ａ線による断面図である。
【図６】この発明の第一の変形形態を示す、図１相当図である。
【図７】この発明の第二の変形形態を示す、図１相当図である。
【図８】この発明の第三の変形形態を示す、図１相当図である。
【図９】この発明の第四の変形形態を示す、図１相当図である。
【図１０】この発明の第五の変形形態を示す、図１相当図である。
【図１１】この発明の第六の変形形態であって、ベース体における取付部部分を示し、（Ａ）は、平面図、（Ｂ）は、斜視図である。
【発明を実施するための形態】
【００２１】
以下、この発明に係る配線・配管材固定具を実施するための形態を図面に基づいて説明する。
【００２２】
図１〜図５は、本発明の一実施の形態を示す。図中符号１は、屋根である。２は、前記屋根１を形成する屋根材である。すなわち、屋根１は、その屋根１の傾斜方向における下方側の屋根材２０１（２）の一部に上方側の屋根材２０２（２）の一部が上に重なるようにして屋根材２、２が並んで形成される。３は、前記屋根１の上に配線・配管される配線・配管材３（配線材または配管材）であって、太陽光発電用の太陽電池に接続される電気ケーブル（配線材）とか、その電気ケーブルを収容保護する保護管とか、太陽光温水器に接続される通水管（配管材）とかからなる。４は、前記屋根１の上に配線・配管材３を固定するための、配線・配管材固定具である。
【００２３】
ここで、配線・配管材固定具４は、屋根材２に取り付けられる被取付部５と、配線・配管材３を保持する保持部６とを備える。被取付部５は、下方側の屋根材２０１（２）と上方側の屋根材２０２（２）との重なり部分の隙間１ａに外側から挿入される、挿入部５ａを備える。この挿入部５ａは、挿入部本体５ｂと、その挿入部本体５ｂを前記隙間１ａから抜け止めするようにその挿入部本体５ｂから、挿入部５ａの挿入方向Ｐとは反対の反挿入方向Ｑを向くように斜めに起立して、上方側の屋根材２０２または下方側の屋根材２０１（図示実施の形態においては、上方側の屋根材２０２の前側である前端に下方に向けて突出するように形成された前垂部２ａ）に掛け止められる、爪部５ｃとを有する。ここにおいて、爪部５ｃは、挿入部本体５ｂ側に倒れた状態に弾性的に変形可能に形成されて、その爪部５ｃが倒れた状態で、挿入部５ａは、外側から前記隙間１ａに挿入され、挿入された後には、爪部５ｃが復帰（弾性復帰）するようにして上方側の屋根材２０２または下方側の屋根材２０１（図示実施の形態においては、上方側の屋根材２０２の前記前垂部２ａ）に掛け止められる。
【００２４】
また、被取付部５は、接着材の充填空間５ｇを形成する充填空間形成部５ｆを備える。ここで、充填空間５ｇは、下方側の屋根材２０１の上面に臨むように下方が開放している。そして、充填空間形成部５ｆは、上面に、充填空間５ｇに通ずる孔５ｈを有する。また、充填空間形成部５ｆは、上方側の屋根材２０２の前端面２ｂから隔たって位置する。
【００２５】
具体的には、配線・配管材固定具４は、前記被取付部５を有するベース体７と、前記保持部６を有してベース体７に着脱可能に取付け固定される保持部材８とを備える。
【００２６】
ベース体７は、金属製であって、帯状の板材からなり、その長手方向の一方側に、前記被取付部５を有し、他方側に、保持部材８が取付け固定される取付部７ａを有する。
【００２７】
被取付部５においては、前記挿入部５ａがベース体７の長手方向の一方端側に位置し、前記充填空間形成部５ｆがベース体７の中央側に位置するように並んでいる。挿入部５ａにおける爪部５ｃは、前記反挿入方向Ｑを向くように斜め上方に起立する。そして、この爪部５ｃは、上方側の屋根材２０２の前垂部２ａに掛け止められるとともに、上方側の屋根材２０２の下面２ｃに当接する。また、この爪部５ｃは、前記挿入方向Ｐに並ぶように（つまり、ベース体７の長手方向に並ぶように）、複数（図示実施の形態においては、三つ）設けられる。そして、複数の爪部５ｃ、５ｃのうちの任意の爪部５ｃ（図示実施の形態においては、最も充填空間形成部５ｆ寄りに位置する爪部５ｃ）が、上方側の屋根材２０２の前垂部２ａに掛け止められ、その掛け止められた爪部５ｃと、その奥側に位置する爪部５ｃ、５ｃが、上方側の屋根材２０２の下面２ｃに当接する。この爪部５ｃは、板状であって、先端において幅方向の中央が窪むＭ字状に形成されている。詳細には、爪部５ｃは、ベース体７において挿入部本体５ｂから前記反挿入方向Ｑを向くように斜めに切り起こされており、これにより、挿入部本体５ｂには、爪部５ｃが挿入部本体５ｂ側に倒れた状態に弾性的に変形した際に、その爪部５ｃが入る孔５ｅが形成されることとなる。なお、爪部５ｃは、複数設けられなくとも、一つであってもよく、その数は、特に問わない。
【００２８】
充填空間形成部５ｆは、中空形状の突部からなり、その突部の内部が、接着材が充填される前記充填空間５ｇとなっている。詳しくは、充填空間形成部５ｆは、ベース体７を構成する帯状の板材が、上側（つまり、屋根材２から離れる側）に膨出形成されて、その膨出した内部が、前記充填空間５ｇとなっている。
【００２９】
取付部７ａは、ベース体７を構成する帯状の板材が、上側（つまり、屋根材２から離れる側）に膨出形成されて、側面（ベース体７の長手方向側の側面）に、保持部材８の基部８ａが挿入される保持部材挿入孔７ｂが設けられ、上面に、保持部材挿入孔７ｂから取付部７ａ内に進入した前記基部８ａを止めるための固着具９が挿入される、固着具挿入孔７ｃが設けられる。図示実施の形態においては、固着具９は、ビス９ａからなり、固着具挿入孔７ｃは、そのビス９ａが螺合する螺合孔からなって、固着具挿入孔７ｃに螺合するビス９ａの先端側が、保持部材８の基部８ａに設けられた係止孔８ｂに挿入されることで、保持部材８は、ベース体７の取付部７ａに取付け固定される。
【００３０】
また、保持部材８は、金属製であって、帯状の板材からなり、その長手方向の一方側に前記保持部６を有し、他方側に前記基部８ａを有する。保持部６は、逆Ｕ字状に曲げられて、その内側に配線・配管材３が保持される。つまり、保持部６に配線・配管材３を通したり保持部６を配線・配管材３に掛けたりすることで、配線・配管材３は保持される。そして、基部８ａは、平板形状をして、その板面を貫通する前記係止孔８ｂを有し、前記保持部材挿入孔７ｂから取付部７ａ内に挿入される。
【００３１】
次に、以上の構成からなる配線・配管材固定具４の作用効果について説明する。この配線・配管材固定具４によると、配線・配管材３を屋根１に固定するにあたって、配線・配管材固定具４の被取付部５に備わる挿入部５ａを、下方側の屋根材２０１と上方側の屋根材２０２との重なり部分の隙間１ａに外側から挿入する。すると、倒れた状態の爪部５ｃが、弾性復帰するようにして上方側の屋根材２０２または下方側の屋根材２０１（図示実施の形態においては、上方側の屋根材２０２の前垂部２ａ）に掛け止められる。こうして、被取付部５、ひいては配線・配管材固定具４は、屋根１に取り付けられる。
【００３２】
また、充填空間形成部５ｆにおける充填空間５ｇに接着材を充填すれば、充填空間形成部５ｆは、下方側の屋根材２０１に接着される。したがって、この配線・配管材固定具４を、爪部５ｃに加えて、接着材を用いて、屋根１に取り付けることもできる。ここで、充填空間形成部５ｆは、上面に、充填空間５ｇに通ずる孔５ｈを有している。このため、この孔５ｈから充填空間５ｇに接着材を充填することで、この充填を、挿入部５ａを屋根材２０１、２０２の重なり部分の隙間１ａに挿入した後に（つまり、配線・配管材固定具４が、爪部５ｃによって保持された状態で）することもできる。そして、保持部６で配線・配管材３を保持する。
【００３３】
このように、配線・配管材固定具４を屋根１に取り付けるとともに、保持部６で配線・配管材３を保持することで、配線・配管材３は、屋根１に固定される。もっとも、配線・配管材固定具４を屋根１に取り付ける作業と、保持部６で配線・配管材３を保持する作業の順序は、特に問わない。
【００３４】
また、充填空間５ｇへの接着材の充填作業にあたっては、充填空間形成部５ｆは、上方側の屋根材２０２の前端面２ｂから隔たって位置する。このため、この充填作業が容易となる。また、この接着材の充填は、爪部５ｃだけでは、取付けが安定しない場合に有効であり、例えば、爪部５ｃが上方側の屋根材２０２の下面２ｃに当たらない場合であって、この爪部５ｃだけでは取付けが安定しない場合には、接着材を用いることで、被取付部５、ひいてはベース体７や配線・配管材固定具４を安定して屋根１に取り付けることができる。
【００３５】
ここで、図示実施の形態では、配線・配管材固定具４は、被取付部５を有するベース体７と、保持部６を有する保持部材８とに分かれているため、ベース体７に保持部材８が取付け固定された状態で、保持部６に配線・配管材３を通したり保持部６を配線・配管材３に掛けたりする以外に、保持部材８単独の状態で、保持部６に配線・配管材３を通したり保持部６を配線・配管材３に掛けたりし、その後に、保持部材８をベース体７に取付け固定することもできる。
【００３６】
このように、配線・配管材固定具４を屋根１に取り付けるとともに、保持部６で配線・配管材３を保持することで、配線・配管材３は、屋根１に固定される。そして、この配線・配管材固定具４によれば、挿入部５ａを屋根材２０１（２）、２０２（２）の隙間１ａに挿入することで、配線・配管材固定具４を屋根１に簡単に取り付けることができる。しかも、充填空間５ｇに接着材を充填することで、この配線・配管材固定具４を、屋根１に強固に取り付けることもできる。
【００３７】
また、爪部５ｃは、Ｍ字状に形成されており、これにより、爪部５ｃは、屋根材２０２（２）に喰い込みやすく、さらには、Ｍ字の先端の二点で当たるため、爪部５ｃ、ひいてはベース体７や配線・配管材固定具４が回り難くなる。また、この爪部５ｃが、屋根材２０２の下面に当たる場合であって、爪部５ｃが複数設けられると、それら複数の爪部５ｃ、５ｃの各々が、二点で屋根材２０２（２）に当たることとなり、一層、ベース体７や配線・配管材固定具４は、回り難くなる。
【００３８】
なお、本発明は、上述した実施の形態に限定されるわけではなく、その他種々の変更が可能である。例えば、図６とか図７に示すように、被取付部５は、挿入部５ａの、隙間１ａに外側から挿入される挿入長さを制限する、上方側の屋根材２０２または下方側の屋根材２０１に係合可能（当接可能）な、規制部５ｄを、充填空間形成部５ｆとは別に備えてもよい。このような規制部５ｄを設けることで、挿入部５ａを、屋根材２の隙間１ａに外側から挿入した際に、規制部５ｄが屋根材２に係合することでその挿入長さが制限され、これとともに、挿入部５ａに設けられた爪部５ｃが屋根材２に掛け止められる（図示実施の形態においては、爪部５ｃは、上方側の屋根材２０２の前垂部２ａに掛け止められるが、爪部５ｃは、複数設けられているため、それら複数の爪部５ｃ、５ｃのうちの、上方側の屋根材２０２の前垂部２ａの奥行長さに対応する位置にある爪部５ｃ（図では、最も充填空間形成部５ｆ寄りに位置する爪部５ｃ）が、前垂部２ａに掛け止められる。）。すなわち、配線・配管材固定具４は、挿入部５ａを屋根材２の隙間１ａに挿入するものでありながら、規制部５ｄを設けることで、爪部５ｃを屋根材２の適所に配置することができる。図６においては、規制部５ｄは、上方側の屋根材２０２の前端面２ｂと対向するように上方に突出形成されており、特に、この規制部５ｄは、平板形状の突片５ｉからなっている。また、図７においては、規制部５ｄは、下方側の屋根材２０１の後側である後端に上方に向けて突出するように形成された後突部２ｄの前面と対向する、挿入部５ａ（詳細には、挿入部本体５ｂ）の先端部５ｊからなっている。
【００３９】
また、爪部５ｃは、上方側の屋根材２０２に掛け止められるものでなくとも、図８に示すように、反挿入方向Ｑを向くように斜めに（詳しくは、斜め下方に）起立して、下方側の屋根材２０１に掛け止められてもよい。詳細には、爪部５ｃは、下方側の屋根材２０１の後端面２ｅに掛け止められるように、挿入部５ａの先端部分に設けられ、特に図示実施の形態においては、挿入部５ａの先端が折り返されて形成される。ここで、爪部５ｃは、一つ設けられているが、前記挿入方向Ｐに並ぶように、複数設けられてもよい。また、この実施の形態において、配線・配管材固定具４に、前述した実施の形態に示すような各種の規制部５ｄ（図６、図７参照）、つまり、上方側の屋根材２０２の前端面２ｂと対向する規制部とか、下方側の屋根材２０１の後突部２ｄの前面と対向する規制部とかが設けられてもよいのは勿論である。
【００４０】
また、充填空間形成部５ｆは、挿入部５ａと保持部６との間に設けられなくとも、図９に示すように、保持部６に対して、挿入部５ａとは反対側に設けられてもよい。これにより、保持部６は、被取付部５を構成する挿入部５ａと充填空間形成部５ｆとに挟まれ、この保持部６で配線・配管材３を保持することで、配線・配管材３は、屋根１に安定して固定される。もっとも、充填空間形成部５ｆは、上方側の屋根材２０２の前端面２ｂから隔たって位置するのであれば、どのような位置に設けられてもよい。また、この実施の形態において、爪部５ｃは、図８に示すような、下方側の屋根材２０１の後端面２ｅに掛け止められるものであってもよく、配線・配管材固定具４に、上述したような各種の規制部５ｄ（図６、図７参照）、つまり、上方側の屋根材２０２の前端面２ｂと対向する規制部とか、下方側の屋根材２０１の後突部２ｄの前面と対向する規制部とかが設けられてもよい。
【００４１】
また、前述した規制部５ｄを、充填空間形成部５ｆとは別に設けるのではなく、図１０に示すように、充填空間形成部５ｆを、上方側の屋根材２０２の前端面２ｂと対向するように上方に突出形成することで、充填空間形成部５ｆそのものが、規制部５ｄとなってもよい。つまり、充填空間形成部５ｆは、挿入部５ａの、前記隙間１ａに外側から挿入される挿入長さを制限する、上方側の屋根材２０２の前端面２ｂに係合可能（当接可能）な、規制部５ｄとなる。また、この実施の形態において、爪部５ｃは、上方側の屋根材２０２の前垂部２ａに掛け止められるものでなくとも、図８に示すような、下方側の屋根材２０１の後端面２ｅに掛け止められるものであってもよい。
【００４２】
また、保持部材８が取付け固定される取付部７ａは、ベース体７の長手方向（つまり、屋根１の傾斜方向となる縦方向）側の側面に、保持部材挿入孔７ｂが設けられているが、図１１に示すように、ベース体７の長手方向に直交する方向（つまり、屋根１の傾斜方向に直交する横方向）側にも設けられてもよい。そこで、これら保持部材挿入孔７ｂ、７ｂのうちの一つを選択して用いることで、保持部材８の保持部６によって保持される配線・配管材３を、屋根１の横方向に延びるように配備したり、屋根１の傾斜方向となる縦方向に延びるように配備したりすることができる。
【００４３】
また、保持部材８は、その基部８ａが取付部７ａの保持部材挿入孔７ｂから内部に進入した状態で、取付部７ａにビス９ａ（固着具９）を用いて取付け固定されなくとも、取付部７ａの上面に、ビス等の固着具９を用いて取付け固定されてもよく、また、固着具９を用いることなく、取付部７ａに嵌合したり係止されたりして取付け固定されてもよい。
【００４４】
また、ベース体７と保持部材８とは、金属製でなくとも、例えば合成樹脂製であってもよい。
【００４５】
また、配線・配管材固定具４は、被取付部５を有するベース体７と、保持部６を有する保持部材８とに分離されて構成されなくとも、それら被取付部５と保持部６とが一体に形成されてもよい。
【符号の説明】
【００４６】
１  屋根
１ａ  隙間
２  屋根材
２０１  下方側の屋根材
２０２  上方側の屋根材
２ａ  前垂部
２ｂ  前端面
３  配線・配管材
４  配線・配管材固定具
５  被取付部
５ａ  挿入部
５ｂ  挿入部本体
５ｃ  爪部
５ｄ  規制部
５ｆ  充填空間形成部
５ｇ  充填空間
５ｈ  孔
６  保持部
７  ベース体
７ａ  取付部
７ｂ  保持部材挿入孔
７ｃ  固着具挿入孔
８  保持部材
８ａ  基部
９  固着具
Ｐ  挿入方向
Ｑ  反挿入方向
【図１】
0005558380.tif 000002
【図２】
0005558380.tif 000003
【図３】
0005558380.tif 000004
【図４】
0005558380.tif 000005
【図５】
0005558380.tif 000006
【図６】
0005558380.tif 000007
【図７】
0005558380.tif 000008
【図８】
0005558380.tif 000009
【図９】
0005558380.tif 000010
【図１０】
0005558380.tif 000011
【図１１】
0005558380.tif 000012